(57)【要約】【解決手段】改善されたクロストーク補償特徴を有する通信ジャック（２００）が開示される。一実施例では、ジャックは、通信接続を形成するためプラグを受け入れるように構成され、ジャック接触子を備える。該ジャック接触子は、例えば、金属製片持ち梁から構成され、各接触子が少なくとも第１の表面及び第２の表面を有する。プラグがジャックにより受け入れられたとき、プラグ接触子は、ジャック接触子の第１の表面とインターフェースを形成する。ジャックは、近傍端部クロストークを補償するため２対のジャック接触子の間に接続された第１の容量性カップリング（２３０、２３２）を備え、該第１の容量性カップリングは、プラグがジャック接触子とインターフェースを形成するところに隣接した第２の表面に沿ってジャック接触子の対に接続される。遠方端部クロストーク補償の機構も記載されている。【選択図】図７
2007524207.tif 000002
【特許請求の範囲】
【請求項１】
通信接続を形成するためプラグを受け入れるように構成された通信ジャックであって、
複数のジャック接触子であって、該ジャック接触子は、前記ジャック内に配置された金属製片持ち梁から構成され、各々の接触子は、少なくとも第１の表面と第２の表面とを有し、前記プラグが前記ジャックにより受け入れられたとき、複数のプラグ接触子は前記複数のジャック接触子の前記第１の表面とのインターフェースを形成する、前記複数のジャック接触子と、
近傍端部のクロストークを補償するため前記複数のジャック接触子の２つの対の間で接続された第１の容量性カップリングであって、該第１の容量性カップリングは、前記第２の表面に沿って前記ジャック接触子の対に接続され、該第２の表面に隣接して前記プラグ接触子は前記ジャック接触子とのインターフェースを形成する、前記第１の容量性カップリングと、
を備える、通信ジャック。
【請求項２】
前記プラグは、容量性構成要素及び誘導性構成要素を有する、連係するプラグカップリングを持ち、第１の周波数において、前記第１の容量性カップリングは、前記プラグカップリングよりも容量において大きいが、極性が略反対である、請求項１に記載の通信ジャック。
【請求項３】
前記第１の周波数において、前記第１の容量性カップリングは、前記プラグカップリングの容量の大きさの約２倍の容量を持っている、請求項２に記載の通信ジャック。
【請求項４】
前記第１の容量性カップリングは、前記プラグ接触子が前記ジャック接触子とインターフェースを形成するところと正反対のところで前記ジャック接触子に接続されている、請求項１に記載の通信ジャック。
【請求項５】
前記第１の容量性カップリングは、前記ジャックの回路経路３：５及び４：６の間で接続されている、請求項１に記載の通信ジャック。
【請求項６】
前記ジャック接触子と電気的に接続された第２の容量性カップリングを更に備える、請求項１に記載の通信ジャック。
【請求項７】
前記プラグは、容量性構成要素及び誘導性構成要素を有する、連係するプラグカップリングを持ち、前記第２の容量性カップリングは、前記第１の容量性カップリングと極性が略反対であり、前記プラグカップリングと極性が略同一である、請求項６に記載の通信ジャック。
【請求項８】
前記第１の容量性カップリングから、前記プラグ接触子が前記ジャック接触子とインターフェースを形成するところまでの電流経路は、前記第２の容量性カップリングから、前記プラグ接触子が前記ジャック接触子とインターフェースを形成するところまでの電流経路よりも短い、請求項６に記載の通信ジャック。
【請求項９】
前記第１の容量性カップリングは、前記ジャックの回路経路３：５及び４：６の間で接続され、前記第２の容量性カップリングは、前記ジャックの回路経路３：４及び５：６の間で接続されている、請求項６に記載の通信ジャック。
【請求項１０】
印刷回路基板上に誘導性及び容量性のトレースパターンを有する遠方端部クロストーク補償領域を更に備えている、請求項６に記載の通信ジャック。
【請求項１１】
前記第１の容量性カップリングは、フレキシブル電気コンダクターを用いて前記ジャック接触子に取り付けられた第１の印刷回路基板上に配置されている、請求項１に記載の通信ジャック。
【請求項１２】
前記印刷回路基板はフレキシブルであり、該基板が前記プラグの前記ジャックへの挿入時に形状を変化させることを可能にしている、請求項１１に記載の通信ジャック。
【請求項１３】
前記第１の印刷回路基板は、溶接により前記第２の表面に取り付けられている、請求項１１に記載の通信ジャック。
【請求項１４】
前記第１の印刷回路基板は、半田プラグにより前記第２の表面に取り付けられている、請求項１１に記載の通信ジャック。
【請求項１５】
前記ジャック接触子の少なくとも一部分は、半田付けのため予めスズメッキされている、請求項１４に記載の通信ジャック。
【請求項１６】
ジャック及びプラグから構成された通信コネクターのためのクロストーク補償装置であって、
可撓性部材によりジャック接触子に機械的及び電気的に接続されている印刷回路を備え、前記可撓性部材の各々は、ジャック接触子と設置されたプラグの対応する接触子との間のインターフェースの両側に隣接して取り付けられ、前記ジャック接触子は金属製片持ち梁から構成される、クロストーク補償装置。
【請求項１７】
近傍端部クロストーク（ＮＥＸＴ）補償領域を更に備える、請求項１６に記載のクロストーク補償装置。
【請求項１８】
前記印刷回路は、前記ジャックをネットワークケーブルに接続するコネクターへのネットワーク信号経路の少なくとも一区分を提供する、請求項１６に記載のクロストーク補償装置。
【請求項１９】
前記印刷回路は、容量性補償を提供する、請求項１８に記載のクロストーク補償装置。
【請求項２０】
前記印刷回路は、容量性補償及び誘導性補償を提供する、請求項１８に記載のクロストーク補償装置。
【請求項２１】
前記印刷回路は、フレキシブル印刷回路である、請求項１６に記載のクロストーク補償装置。
【請求項２２】
遠方端部クロストーク（ＦＥＸＴ）を有するジャック／プラグ結合のためのクロストーク補償装置であって、
正味の誘導性カップリング及び容量性カップリングは、大きさが略等しく、極性が反対である、クロストーク補償装置。
【請求項２３】
前記正味の容量性カップリングは、分布容量性カップリング及び遠隔容量性カップリングの両方を含む、請求項２２に記載のクロストーク補償装置。
【請求項２４】
プラグ／ジャックインターフェースから前記ＦＥＸＴ領域の前記正味の誘導性カップリングへの位相角度変位は、前記プラグ／ジャックインターフェースから前記ＦＥＸＴ領域の前記正味の容量性カップリングへの位相角度変位に略等しい、請求項２２に記載のクロストーク補償装置。
【請求項２５】
前記ＦＥＸＴ領域の前記正味の容量性カップリングは、前記プラグと連係する前記正味の容量と同じ極性を有する、請求項２２に記載のクロストーク補償装置。
【請求項２６】
前記ＦＥＸＴ領域は、前記プラグに直接接続されたコンダクターと前記ジャックに直接接続されたコンダクターとに関して対称である、請求項２２に記載のクロストーク補償装置。
【請求項２７】
前方及び逆の近傍端部クロストークに対する前記ＦＥＸＴ領域の効果を最小にするため、前記誘導性及び容量性カップリングの大きさは等しい、請求項２６に記載のクロストーク補償装置。
【請求項２８】
ジャック及びプラグから構成された通信コネクターのためのクロストーク補償装置であって、
近傍端部クロストーク（ＮＥＸＴ）に事実上効果を有していないが遠方端部クロストーク（ＦＥＸＴ）を減少させる、遠方端部クロストーク（ＦＥＸＴ）領域を備える、クロストーク補償装置。
【請求項２９】
通信接続を形成するためプラグを受け入れるように構成された通信ジャックであって、
複数のジャック接触子であって、該ジャック接触子は、前記ジャック内に配置された金属製片持ち梁から構成され、前記プラグが前記ジャックにより受け入れられたとき、複数のプラグ接触子は、プラグ／ジャックのインターフェースにおいて、前記複数のジャック接触子の第１の表面とのインターフェースを形成する、前記複数のジャック接触子と、
前記プラグ／ジャックインターフェースの両側に隣接して、前記ジャック接触子の第２の表面に機械的及び電気的に接続された電気コネクターと、
前記電気コネクターに接続されたクロストーク補償構成要素と、
を備える、通信ジャック。
【請求項３０】
前記クロストーク補償構成要素は、容量性カップリングを提供する、請求項２９に記載の通信ジャック。
【請求項３１】
前記容量性カップリングは、前記ジャック接触子に隣接している、請求項３０に記載の通信ジャック。
【請求項３２】
前記電気コンダクターは、該電気コンダクターが電気的に接続されているところの前記プラグ接触子の通信信号電流を運搬する、請求項２９に記載の通信ジャック。
【請求項３３】
前記電気コンダクターは、該電気コンダクターが前記接触子に接続されているところに隣接した位置で曲げられ、前記プラグ／ジャックインターフェースにおいて前記ジャック接触子を備える平面から分岐する方向に向き付けられている、請求項３２に記載の通信ジャック。
【請求項３４】
前記ジャック接触子により伝達される前記通信信号電流のみが、前記プラグ／ジャックインターフェースにおいて前記ジャック接触子を備える平面に略垂直である、請求項３２に記載の通信ジャック。
【請求項３５】
前記クロストーク補償構成要素は、容量性カップリング及び誘導性カップリングの両方を含んでいる、請求項３２に記載の通信ジャック。
【請求項３６】
前記カップリングは、前記電気コンダクターが前記ジャック接触子に接続されているところに隣接している、請求項３５に記載の通信ジャック。
【請求項３７】
前記電気コンダクターは、前記電気通信ケーブルが接続されているところのコンダクターに電気的に接続されている、請求項３２に記載の通信ジャック。
【請求項３８】
典型的な補償カップリングに比べて不均衡に変動するクロストーク補償カップリングを備える通信ジャック。
【請求項３９】
前記カップリングは、近傍端部クロストーク補償を提供する、請求項３８に記載の通信ジャック。
【請求項４０】
前記カップリングは、周波数が増大するにつれて、クロストークの成長を遅らせる、請求項３８に記載の通信ジャック。
【請求項４１】
前記クロストークの成長は、周波数が増大するにつれて前記近傍端部クロストーク補償の成長を遅らせることによって遅らされる、請求項４０に記載の通信ジャック。
【請求項４２】
前記カップリングは、リード部における誘導性カップリングを提供するため、互いに近接して配置された前記リード部によりジャック接触子に電気的に接続された容量性カップリングから構成されている、請求項３８に記載の通信ジャック。
【請求項４３】
前記リード部は、比較的短い距離内で比較的高い密度の誘導性カップリングを生じさせる、請求項４２に記載の通信ジャック。
【請求項４４】
前記ジャック接触子の各対に接続された前記リード部は、全て近接して配置され、各対のリード部は、互いに反対方向に向き付けられている、請求項４２に記載の通信ジャック。
【請求項４５】
各対の各ジャック接触子は、各対の他のジャック接触子に関して逆位相を持つ極性を有し、これによって各対に接続されたリード部の一つにおける合成電流を、同じ対に接続された他のリード部と同位相にさせる、請求項４４に記載の通信ジャック。
【請求項４６】
前記カップリングは、前記ジャック接触子の設置されたプラグの接触子とのインターフェースの両側に隣接して取り付けられた可撓性部材によって前記ジャック接触子に機械的及び電気的に接続されている、請求項３８に記載の通信ジャック。
【請求項４７】
前記カップリング及び前記可撓性部材は、フレキシブル印刷回路から構成される、請求項４６に記載の通信ジャック。
【請求項４８】
前記可撓性部材は、前記ジャック接触子へのそれら部材の接続を容易にするのに必要となる限りにおいてのみ、分離した片持ち梁セグメントである、請求項４６に記載の通信ジャック。
【請求項４９】
前記クロストーク補償カップリングは、前記可撓性部材に隣接して配置されている、請求項４８に記載の通信ジャック。
【発明の詳細な説明】
【技術分野】
【０００１】
本出願は、２００４年２月１２日に出願された米国仮特許出願番号６０／５４４，０５０号、２００４年３月３１日に出願された米国仮特許出願番号６０／５５８，０１９号、及び、２００４年４月６日に出願された米国仮特許出願番号６０／５５９，８６７２号に基づく優先権を主張する。これらの内容全体は、ここで参照したことで本願に組み込まれる。
【０００２】
本発明は、電気コネクターに係り、より詳しくは、コネクターアッセンブリのプラグ及びジャックの組み合わせにより発生する正味のクロストークを減少させるため補償技術を利用するモジュール式通信ジャックの設計に関する。
【背景技術】
【０００３】
ローカルエリアネットワーク（ＬＡＮ）及びワイドエリアネットワーク（ＷＡＮ）を始めとするコンピュータネットワークは、職場においてコンピュータ及びネットワーク装置の数が増大するにつれて、益々流行してきている。これらのコンピュータネットワークは、ネットワークに取り付けられた様々な構成要素の間で情報を伝達するため、データ通信ケーブルと、電気コネクターとを利用する。電気コネクターは、典型的には、壁に取り付けられたジャックに接続可能であるか又はパネル若しくは他の遠隔通信設備に一体形成されているプラグを備えるように構成されている。ジャックは、典型的には、プラグの対応するコンダクターと接触するため、近接して配置された接触子の列を保持するハウジングを備えている。ジャックの接触子は、印刷回路基板にしばしば取り付けられている。ＲＪ４５プラグ及びジャックコネクターアッセンブリは、近接して配置された接触子を有する一つの周知された標準コネクターアッセンブリである。
【０００４】
過去数年に亘って、コンピュータネットワーク技術における進歩は、これに対応してネットワークを介してデータを伝達することができる速度の増大を促進した。従来のコネクターは、それほどのクロストーク問題無しに低周波数データ信号を伝達するため使用されてきた。しかし、そのようなコネクターが高周波数データ信号を伝達するため使用されるとき、コネクター内部で発生するクロストークは、劇的に増大する。このクロストークは主要には、ジャック及び／又はプラグ内部で近接して配置された平行コンダクターの間の容量性及び誘導性カップリングに起因している。
【０００５】
コネクター内で発生するクロストークを減少させるため電気コネクターの設計において、幅広い様々な改善がなされてきた。その一例が、パンデュイット社に共有譲渡された、米国特許番号６，３０５，９５０号に開示されている。この種のコネクターは、クロストーク効果の減少を達成するためのコンデンサが実装された多層印刷回路基板と連係した特定のコンダクター構成を使用する。しかし、非常に高い周波数信号レートで、このコネクターのためのプラグで発生する高いレベルのクロストークに起因して、コンデンサにより達成可能なチューニング効果は、なおも達成するのが困難となり得る。
【発明の開示】
【発明が解決しようとする課題】
【０００６】
以上により、上記問題に取り組み、改善したクロストーク性能を提供するためコネクターの設計における更なる改善がなおも必要とされている。
【実施例】
【０００７】
本発明の実施例を説明する前に、本発明は、添付図面及び説明に示された構成要素の構成及び配置の細部にその用途又は使用法を限定されるものではないことが理解されるべきである。本発明の図示の実施例は、他の実施例、変形例及び変更例で実施されたり又は組み込まれたりすることができ、様々な仕方で実施、実行することができることが認められよう。更には、特に断りの無い限り、本願で用いられた用語及び表現は、読者の利便性のため本発明の例示としての実施例を説明するという目的のため選択されており、本発明をそれに限定するものではない。
【０００８】
図面、特に図１を参照すると、通信コネクターアッセンブリ１００が示されている。通信コネクターアッセンブリ１００は、本発明の原理に従って正味のクロストークを減少させる補償技術を備えている。図１に示されるように、通信コネクターアッセンブリ１００は、ジャック１０４に接続可能なプラグ１０２を備えている。ジャック１０４は、印刷回路基板（図示せず）を保持するため、ハウジング１０６と、キャリア部分とを備える。ジャック１０４のハウジング１０６は、プラグ１０２の対応する接触子と接触するための近接して配置された平行接触子の列を保持する。電気信号が通信コネクターアッセンブリ１００を通って伝達されたとき、クロストークは、コネクターアッセンブリ内に生じる。
【０００９】
クロストークは、主要には、プラグ１０２及びジャック１０４内の近接して配置された平行コンダクターに起因してコネクターアッセンブリ内で発生する。一般には、クロストークは、一つの回路対から別の回路対までの望ましくない信号カップリングの測度である。クロストークの幾つかの異なる測度が、通信コネクターアッセンブリに生じる懸念と取り組むため開発された。近傍端部クロストーク（ＮＥＸＴ）は、異なる回路対における攪乱信号として、反対方向に伝達するクロストークの測度である。ＮＥＸＴは、次の式に従って計算される。
【００１０】
ＮＥＸＴ＝（容量性カップリング（Ｃ）＋誘導性カップリング（Ｌ））に起因した信号電圧
遠方端部クロストーク（ＦＥＸＴ）は、異なる回路対における攪乱信号として、同一方向に伝達するクロストークの測度である。ＦＥＸＴは、次の式に従って計算される。
【００１１】
ＦＥＸＴ＝（容量性カップリング（Ｃ）−誘導性カップリング（Ｌ））に起因した信号電圧
コネクター内のクロストークの原理についての更なる説明は、米国特許番号５，９９７，３５８号（「‘３５８特許」）に開示されており、その内容はここで参照したことで本願に組み込まれる。
【００１２】
プラグへのケーブル接続からジャックへのケーブル接続までのプラグ／ジャック結合における全ての信号電流運搬コンダクターの間において、誘導性及び容量性カップリングが分布している。加えて、上記コンダクターから離れて該コンダクターに電気的に接続された導電性材料の間、並びに、導電性材料及び上記コンダクターの間において容量性カップリングが存在している。
【００１３】
好ましい実施例が如何に機能するかを示す主要なカップリングが図２に概略的に示されている。
プラグは、主要には、分布した誘導性及び容量性カップリングである。
【００１４】
ＮＥＸＴ補償領域は、遠隔容量性カップリングである。
ジャック接触子は、主要には、分布した誘導性及び容量性カップリングである。
ＮＥＸＴクロストーク領域は、遠隔容量性カップリングである。
【００１５】
ＦＥＸＴクロストーク領域は、分布誘導性及び容量性カップリングと、遠隔容量性カップリングとの結合である。
分布カップリングと遠隔カップリングとの間の識別は、ＮＥＸＴ及びＦＥＸＴに与えるそれらの異なる効果の故に、重要である。
【００１６】
ＮＥＸＴは、任意のカップリングから、プラグへのケーブル接続へと戻る反射信号である。ＮＥＸＴの各要素の位相角度は、前記ケーブル接続から前記要素への距離及び該要素からの距離に依存している。
【００１７】
ＦＥＸＴは、ジャックへのケーブル接続へと伝播する任意のカップリングからの信号である。かくして、分布カップリングからのそのような全ての信号は、それらの位置に関わらず、同位相となる。各遠隔カップリングからの信号の位相角度は、しかし、遠隔カップリングへの距離並びに該遠隔カップリングから電流運搬コンダクターへの距離に依存している。
【００１８】
図示の実施例では、コンダクター３、６は、一つのワイヤ対を形成し、コンダクター４、５は別のワイヤ対を形成している。異なるワイヤ対の組み合わせ及び他のワイヤ対を、本発明の精神及び範囲から逸脱すること無く利用することができることが認められよう。
【００１９】
コネクターアッセンブリ１００の補償機構は、ＮＥＸＴ補償機構及びＦＥＸＴ補償機構を備える。ＮＥＸＴ補償機構は、ＮＥＸＴ補償領域と、ＮＥＸＴクーラー領域とを備えるのが好ましい。ＮＥＸＴ補償機構は、プラグ及びジャックのＮＥＸＴを、選択されたヌル周波数において有効ゼロにまで減少させる。図３は、本発明に従って２つのワイヤ対３、６及び４、５上で実施されたＮＥＸＴ補償機構のベクトル表現である。
【００２０】
図３に示されるように、コネクターアッセンブリ１００のプラグ１０２は、コネクターアッセンブリ１００の回路対上に攻撃性ＮＥＸＴを導入する。プラグ１０２の攻撃性ＮＥＸＴは、誘導性カップリング（Ｌｐ）からの誘導性成分と、容量性カップリング（Ｃｐ）からの容量性成分と、を備えている。プラグ１０２の攻撃性ＮＥＸＴを減少させるために、コネクターアッセンブリ１００のＮＥＸＴ補償領域は、コネクターの回路対上の容量性カップリング（Ｃ２）からの補償成分を導入する。
【００２１】
容量性カップリング（Ｃ２）の大きさは、プラグのカップリング（Ｃｐ＋Ｌｐ）の大きさより大きいが、それらのカップリングとは極性が逆であるのが好ましい。本実施例では、容量性カップリング（Ｃ２）の大きさは、ジャック１０４の攻撃性カップリングの大きさの約２倍である。合成のＮＥＸＴの大きさは、プラグのカップリングと容量性カップリング（Ｃ２）との間の位相角度の大きさに依存している。位相角度がより大きくなればなるほど、合成のＮＥＸＴも大きくなる。従って、この位相角度を最小にすることが望ましい。この位相角度は、プラグのクロストークカップリングの有効中心と、ＮＥＸＴ補償領域の有効中心との間の距離に比例している。
【００２２】
図３に示されるように、ＮＥＸＴ補償領域は、プラグの攻撃性ＮＥＸＴを減少させるためジャックの回路対上に容量性補償カップリング（Ｃ２）を導入する。更に後述されるように、ＮＥＸＴ補償領域は、ジャック１０４の接触子とプラグ１０２の接触子との電気的インターフェース１１０のところ若しくはその近傍であって該インターフェースの両側で、選択されたジャック接触子の間のコンデンサを接続することにより、ジャック１０４に実装することができる。その結果、プラグの攻撃性ＮＥＸＴと、ＮＥＸＴ補償領域により導入された補償成分との間の位相角度は、最小化される。ＮＥＸＴクロストーク領域のコンデンサは、ジャック接触子とプラグ接触子との電気的インターフェース１１０のところ若しくはその近傍において、回路経路３及び５の間、並びに、回路経路４及び６の間で接続される。
【００２３】
ここで再び図３を参照すると、コネクターアッセンブリ１００のジャック接触子が、コネクターアッセンブリの回路対でカップリングを導入する。ジャック接触子のカップリングは、誘導性成分（Ｌ１）と容量性成分（Ｃ１）とを含む。
【００２４】
ＮＥＸＴクロストークカップリング（Ｃ３）は、プラグ１０２のカップリングと同じ極性を持っているが、容量性補償カップリング（Ｃ２）の反対極性を持っている。ＮＥＸＴクロストーク領域は、ヌル周波数においてＮＥＸＴ補償領域から特定の位相角度に位置している。好ましい実施例では、プラグのカップリングとＮＥＸＴ補償領域の容量性カップリング（Ｃ２）との間の位相角度は比較的小さいので、ＮＥＸＴ補償領域の容量性カップリング（Ｃ２）とＮＥＸＴクロストーク領域の容量性カップリング（Ｃ３）との間の位相角度は比較的小さい。これらの容量性カップリングの間で比較的小さい位相角度を達成するため、ＮＥＸＴ補償領域とＮＥＸＴクロストーク領域との間のジャック接触子の部分の長さは、比較的小さくなる。本願で開示された好ましい実施例は、この長さを最小にし、それらを実行可能な限り空気と分離するが、それでもなおジャック接触子と設置プラグの接触子との間で適切な力を提供する。
【００２５】
図２に示されるように、ＮＥＸＴクロストーク領域は、コネクターの回路経路上にクロストークカップリング（Ｃ３）を導入する。ＮＥＸＴクロストーク領域は、ヌル周波数においてプラグへのケーブル接続から特定の位相角度に位置するのが好ましい。更に後述されるように、ＮＥＸＴクロストーク領域は、例えばコネクターアッセンブリ１００の印刷回路基板（ＰＣＢ）の入力ターミナルの間のコンデンサを接続することによって、ジャック１０４に実装することができる。そのようなコンデンサは、ＮＥＸＴ補償領域コンデンサが接続されているのと同じ位置でジャック１０４の接触子の間で接続することができることも認められよう。しかし、コンデンサは、極性を逆にするため異なるコンダクターの間で接続され、ＮＥＸＴクロストーク領域のコンデンサへの接続位置からの電気コンダクターの長さは、ＮＥＸＴ補償領域のコンデンサへの接続位置からの電気コンダクターの長さよりも長くなる。
【００２６】
ＮＥＸＴクロストーク領域のコンデンサは、代替例として、プラグ／ジャック接触子インターフェースとジャックへのケーブル接続との間でジャック接触子に接続することもできる。図２に示されているように、ＮＥＸＴクロストーク領域のクロストークカップリング（Ｃ３）は、コンデンサにより導入され、該コンデンサのリード部は、ＰＣＢの入力ターミナルにおいて、回路経路３、４及び５、６の間で接続される。
【００２７】
更に後述されるように、ＦＥＸＴクロストーク領域は、クロストークカップリング（ＣＣ）と、補償カップリング（ＬＦＣＺ及びＣＬ）とを含んでいる。補償カップリング（ＬＦＣＺ及びＣＬ）の有効中心の位置とクロストークカップリング（ＣＣ）の有効中心の位置とは、好ましくは、等距離であり、プラグ及びジャックの電気的インターフェースからの位相角度変位において等しい。ＦＥＸＴクロストーク領域における容量性カップリングにより発生したＮＥＸＴ成分は、ＣＣ及びＣＬにより発生され、これらのカップリングの正味分は、
ＣＣ−ＣＬに等しいＣＦＣＺである。ＦＥＸＴクロストーク領域（ＬＦＣＺ）における誘導性補償カップリングは、クロストーク成分（ＣＦＣＺ）と大きさが等しく、極性が反対であるのが好ましい。その結果、ＮＥＸＴカップリングがＣ＋Ｌに等しいので、２つの成分（ＬＦＣＺ）及び（ＣＦＣＺ）は、互いに相殺され、従って、ＦＥＸＴクロストーク領域はＮＥＸＴ上にほとんどか或いは全く影響を及ぼさない。
【００２８】
図４を参照すると、詳細仕様プラグのためのカップリングＣ及びＬは、両方とも負（−）として指定されたクロストークを形成する。
このジャック設計では、ジャックは、カップリングＣ及びＬを持ち、該カップリングは、両方ともクロストークを形成し、負（−）となる。
【００２９】
前述したように、ＮＥＸＴは、カップリングＣ＋Ｌに起因した信号電圧に等しく、ＦＥＸＴは、カップリングＣ−Ｌに起因した信号電圧に等しい。
従って、プラグ及びジャック接触子に起因したカップリングの正味の効果は、ＮＥＸＴ上のそれらの効果と比べて、ＦＥＸＴ上でそれらの効果を非常に減少させる。様々なカップリングの結合した効果がＮＥＸＴを最小にする際に非常に有望であるので、同カップリングは、余剰のＦＥＸＴに帰着する。
【００３０】
しかし、ＦＥＸＴクロストーク領域の正味の効果はＮＥＸＴ上でゼロであるが、それは、ＦＥＸＴを減少させるという有利な効果を有する。
本明細書で教えられた実施例の例では、ＦＥＸＴクロストーク領域の正味の容量性カップリングは、ＣＦＣＺであり、クロストークとなり、負（−）の符号を有する。
【００３１】
ＦＥＸＴクロストーク領域の誘導性カップリングは、ＬＦＣＺであり、それは補償となり、正の符号（＋）を有する。
当該カップリングは、
ＮＥＸＴ＝ＣＦＣＺ＋ＬＦＣＺ＝−０．９４４ｐＦ＋０．９４８ｐＦ＊＝０
と影響を及ぼす。当該カップリングは、
ＦＥＸＴ＝ＣＦＣＺ−ＬＦＣＺ＝−０．９４６ｐＦ−０．９４６ｐＦ＊＝１．８９２ｐＦ
と影響を及ぼす。（＊）ＬＦＣＺのｎＨに等価なｐＦ
ＦＥＸＴクロストーク領域のＦＥＸＴ上での正味効果の大きさは、ＮＥＸＴ上でのプラグ及びジャックの効果と比較して、ＦＥＸＴ上でのプラグ及びジャックの正味効果の損失に略等しくなるように導出された。
【００３２】
ＦＥＸＴの形成において、様々な要素の間の位相角度変位は、信号経路から要素までの（位相角度変位における）距離の２倍に等しい。本実施例では、これらの位相角度は、比較的小さく、従って、ＦＥＸＴは比較的小さくなる。
【００３３】
ＦＥＸＴクロストーク領域の誘導性カップリング部分、即ちＬＦＣＺは、ＰＣＢ上で隣接する電流運搬コンダクターにより形成される。これらのコンダクターは、設計目的ではないが、誘導性カップリングに加えて最小量の容量性カップリングを形成する。これらのカップリングの両方は、プラグにおけるカップリングの極性とは反対の、正として指定された極性を有する。この容量性カップリングの表示は、ＣＬである。
【００３４】
ＦＥＸＴクロストーク領域の主要な容量性カップリング部分は、ＰＣＢの一体部分であり、且つ、上述した誘導性カップリング部分における電流運搬コンダクターにコンダクターにより接続されたコンデンサプレートにより形成される。接続コンダクターは、選択された位置で接続され、プラグ／ジャック接触子インターフェースからの位相角度変位がＬＦＣＺ及びＣＦＣＺに等しくなることを確実にするため選択された長さを持っている。この容量性カップリングの極性は、負であり、プラグにおけるカップリングと同じとなっている。
【００３５】
上記容量性カップリングの表示は、ＣＣである。
ＣＣの大きさは、ＣＣ−ＣＬ＝ＣＦＣＺ＝ｐＦ単位でのＬＦＣＺの等価値となるように定められる。
【００３６】
図２を参照すると、ＦＥＸＴは、ジャックへのケーブル接続に伝播する任意のカップリングからの信号である。かくして、分布カップリングからのそのような信号の全ては、それらの位置に関わらず、同位相である。各々の遠隔カップリングからの信号の位相角度は、しかし、遠隔カップリングへの距離と該遠隔カップリングから電流運搬コンダクターへの距離とに依存している。
【００３７】
再び、図４を参照すると、正味のプラグベクトルは、図３と比較されたとき、大きさが減少されている。正味のジャック接触子ベクトルの大きさが減少している。ＦＥＸＴクロストーク領域の３つの成分は、もはやゼロとなるまで追加されない。今や、それらは有効である。
【００３８】
図４を参照すると、分布カップリングの全ては、互いに同位相であり、全ての遠隔カップリングは、分布カップリングより遅延している位相角度を持っている。
ＦＥＸＴクロストーク領域は、回路経路の間に選択された大きさの容量を接続することによって、並びに、隣接する回路経路の間に相互インダクタンスを形成することによって、ジャックの印刷回路基板に実装することができる。ＦＥＸＴクロストーク領域の誘導性カップリングは、回路経路３及び５を選択された距離で互いに近接して配置すると共に、回路経路４及び６を選択された距離で互いに近接して配置することによって、印刷回路基板内に生成される。図８に示されるように、コンデンサは、印刷回路基板の入力ターミナルから選択された距離で、対３、６及び対４、５の間で接続されている。
【００３９】
ＦＥＸＴクロストーク領域により発生されたＮＥＸＴは、上記したように相殺される。ＦＥＸＴ上のカップリングの効果は、分布カップリングにより、並びに、信号経路に沿ったそれらの位置決めに関わらず、同じ態様で遠隔カップリングにより決定される。従って、ＦＥＸＴクロストーク領域は、ＮＥＸＴ及びＦＥＸＴの性能を劣化させること無く、ＮＥＸＴ補償領域から任意の適切な距離に位置することができる。
【００４０】
プラグは、使用しなければならない詳細仕様のプラグであり、誘導性及び容量性カップリングを備えている。
接触子は、長さが短く機械的に音が出るように設計される。その結果が、接触子が誘導性及び容量性クロストークカップリングを含むということになる。最小の誘導性カップリング又は誘導性補償カップリングを持つため、より長く且つより複雑な接触子を持つように設計することができるが、そのような複雑な構成は、本発明の優れた結果を向上させない。
【００４１】
ＮＥＸＴ補償領域設計は、プラグ／ジャック接触子のインターフェースからＮＥＸＴ補償領域の有効中心への位相角度変化を最小にする。ＮＥＸＴ補償領域カップリングは、全て容量性である。誘導性カップリングを備えた単純な代替設計は、位相角度変化を増大させるからである。ＮＥＸＴ補償領域の設計は、最小のＮＥＸＴを達成することを可能にし、それは本発明の最も重要な要素の一つである。
【００４２】
ＮＥＸＴクロストーク領域は、容量性カップリングのみを提供する。これは、ＮＥＸＴを最小にするため、要求されたバランスを提供し、ＦＥＸＴ上に有害な影響を及ぼさないので、最適な設計となる。
【００４３】
上記設計の結果は、最小のＮＥＸＴを提供すること、並びに、比較的大きいＦＥＸＴを提供するということである。
この結果の組み合わせは、問題を形成するが、ＦＥＸＴクロストーク領域の追加は、ＮＥＸＴに効果を及ぼさず、ＦＥＸＴ上に非常に有益な効果を持っているので、この問題を解決する。
【００４４】
ＦＥＸＴクロストーク領域は、本発明の最も重要な要素の一つでもあり、独自の補償領域と組み合わせられている。この相乗効果は、非常に重要技術的達成を生じさせる。
本願で提供されたＦＥＸＴクロストーク領域設計のパラメータは、比較的小さいＦＥＸＴを生じさせる。しかし、ＦＥＸＴは、設計パラメータを変更することにより更に減少させることができると考えられる。
【００４５】
その一例は、ＣＬを増大させることである。これは、コンダクター３をコンダクター５の上方に配置するか又はその代わりにコンダクター５に隣接して配置し、並びに、コンダクター６をコンダクター４の上方に配置するか又はその代わりにコンダクター５に隣接して配置することによって達成することができる。ＣＬが増大すると、ＣＣは必然的に増大する。ＣＣの位相角度は、ＣＣからではなくＮＥＸＴ位相領域Ｃ２からほぼ１８０°よりも大きいので、ＦＥＸＴは減少する。
【００４６】
別の例は、コンダクター３、５及び４、６の長さを増大させることと、ＬＦＣＺを同じままにしておくため、それらのコンダクターを分離することとを組み合わせることである。ＣＣはＦＥＸＴクロストーク領域の中心になければならないので、電流経路から遠隔位置ＣＣまでの距離は、必然的に増大し、これにより、その位相角度が変化し、最適化を図ることができる。
【００４７】
一実施例では、コネクターアッセンブリにより実施される補償機構の成分のパラメータは、次式の通り与えられる。
（プラグ）
ＣＰ＋ＬＰ＝−１．４７２ｐＦに等価
ＣＰ−ＬＰ＝−０．１１１ｐＦに等価
ここで、ＬＰは標準プラグの誘導性カップリングであり、ＣＰは標準プラグの容量性カップリングである。
（ジャック接触子）
Ｃ１＋Ｌ１＝−０．７９１ｐＦに等価
Ｃ１−Ｌ１＝−０．０７１ｐＦに等価
ここで、Ｌ１はジャック接触子の誘導性カップリングであり、Ｃ１はジャック接触子の容量性カップリングである。
（ＮＥＸＴ補償領域）
ジャック接触子の効果が５００ＭＨｚヌル周波数で無視される場合、Ｃ２＝２．７８２ｐＦであるが、ジャック接触子のため次の調整がなされる。
【００４８】
Ｃ２＝３．５７４ｐＦ
ここで、Ｃ２は、ＮＥＸＴ補償領域の容量性カップリングである。
（ＮＥＸＴクロストーク領域）
Ｃ３＝−１．４７２ｐＦ
ここで、Ｃ３はＮＥＸＴクロストーク領域の容量性カップリングである。
（ＦＥＸＴクロストーク領域）
Ｃ３＝−１．４７２ｐＦ
ここで、Ｃ３はＮＥＸＴクロストーク領域の容量性カップリングである。
（ＦＥＸＴクロストーク領域）
ＣＦＣＺ＝−０．９４４ｐＦ
−ＬＦＣＺ＝＋１．７４１ｎＨ＝＋０．９４４ｐＦに等価
ＣＣ＝−１．１３８ｐＦ
−ＣＬ＝＋０．１９４ｐＦ
ここで、ＬＦＣＺはＦＥＸＴクロストーク領域の誘導性カップリングである。
【００４９】
ＣＦＣＺはＦＥＸＴクロストーク領域のコンデンサの正味の容量性カップリングである。
ＣＦＣＺ＝ＣＣ−ＣＬ
ＣＬはＦＥＸＴクロストーク領域の誘導性カップリングコンダクターの容量性カップリングである。
【００５０】
ＣＣはＦＥＸＴクロストーク領域コンデンサの容量性カップリングである。
当業者により理解されるように、補償機構の成分の値は、きめ細かいチューニングの目的のため、それらの最初に決定された値の回りで大きさがばらつき得る。本実施例は、コネクターアッセンブリの対３、６及び４，５に適用されたが、本願で説明された原理は、例えばジャック等の電気コネクターの他の対の組み合わせに適用することができることが認められよう。
【００５１】
ここで図５乃至図７を参照すると、本発明に従ってクロストークを減少させるため補償機構を実施する電気コネクターが示されている。電気コネクターはジャック２００であるのが好ましい。ジャック２００は、対をなすプラグ（図示せず）により攻撃性クロストークがジャックに導入されるところのプラグ／ジャック接触子インターフェースにおいて、クロストーク補償を導入することによって、クロストーク補償を導入するための位相角度遅延を最小にする。
【００５２】
図５乃至図７に示されるように、ジャック２００は、プラグ受け入れ開口部２０４を形成するハウジング２０２と、ＰＣＢ及びコンダクターを載せたスレッド２０６と、ワイヤ汚染ヤップ２０８と、を備えている。図示の実施例では、ジャック２００は、ワイヤ対工業標準規格に従った８接触子式（即ち４つのねじれ対）コネクター構成である（即ち、ワイヤ４及び５が対１をなし、ワイヤ３及び６が対２をなし、ワイヤ１及び２が対３をなし、ワイヤ７及び８が対４をなす）。ジャックは、他の任意種類の適切なジャック又はコネクターであってもよいと考えられる。
【００５３】
ジャック２００の接触子キャリア２０６は、印刷回路基板（ＰＣＢ）２１０と、複数の接触子２２０と、を備えている。接触子２２０は、印刷回路基板２１０に動かないように取り付けられた第１の端部２２２と、第２の自由端部２２４と、を各々有する。各々の接触子２２０は、その第１の端部２２２と第２の端部２２４との間に延在する接触部分２２６も有している。プラグがハウジング２０２の開口部２０４内に挿入されたとき、コネクター２００の接触部分２２６は、プラグの接触子と電気的に接触する。
【００５４】
上述されたように、プラグは、接触子２２０及びプラグの電気的インターフェースにおいて、ジャックコンダクターに攻撃性ＮＥＸＴを導入する。プラグの攻撃性ＮＥＸＴのための補償の一部として、ジャック２００は、前記電気的インターフェースにおいて容量性補償カップリング（Ｃ２）を導入する。図６及び図７に示されるように、ＮＥＸＴ補償領域の容量性補償カップリング（Ｃ２）は、接触子２２０の接触部分２２６の下側に可撓性アームで接続されたフレキシブル印刷回路コンデンサ２３０及び２３２により提供されるのが好ましい。
【００５５】
図示の実施例では、コンデンサ２３０及び２３２は、ワイヤ対１（ワイヤ３及び５）とワイヤ対２（ワイヤ４及び６）とに連係した接触子２２０を横切って接続されている。コンデンサ２３０及び２３２は、フレキシブル印刷回路コンデンサを各々の接触子２２０に電気的に接続することによって設置される。これらのコンデンサは、任意の適切な容量性要素によって実施することができることが認められよう。容量補償構成要素（Ｃ２）は、前記プラグ／ジャック接触子インターフェースに接続され、且つ、該プラグ／ジャック接触子インターフェースからコンデンサの有効中心までの距離が最小化されているので、プラグの攻撃性ＮＥＸＴと、ＮＥＸＴ補償カップリング（Ｃ２）との間の位相角度は最小化される。
【００５６】
ここで図８を参照すると、回路コンダクター即ちジャック２００の印刷回路基板２１０におけるトレースのレイアウトが示されている。印刷回路基板２１０は、前部２５０と、後部２５２とを有する。前部２５０は、１〜８までの数字標識が付けられた複数の前部ターミナル２６０を備え、印刷回路基板２１０の後部２５２は、１〜８までの数字標識が付けられた複数の後部ターミナル２６２を備える。説明の目的のため、前部ターミナル２６０（数字標識３〜６）と、後部２５２における後部ターミナル２６２（数字標識３〜６）との間に形成された回路経路のみが示されている。図６に示されるように絶縁置換接触子（ＩＤＣ）２７０が後部ターミナル２６２の各々に取り付けられている。ＩＤＣ２７０は、印刷回路基板２１０上の回路経路を介して前部ターミナル２６０に電気的に接続されている。
【００５７】
‘３５８特許の教えに続いて、ジャック２００は、ＮＥＸＴクロストーク領域においてコネクター２００の回路経路上の特定の位置において、クロストーク又は逆補償カップリング（Ｃ３）を導入する。ジャック２００のＮＥＸＴクロストーク領域の容量補償構成要素Ｃ３は、図８に示されるように、コンデンサ２８０及び２８２により導入される。
【００５８】
コンデンサ２８０及び２８２は、ジャック２００の印刷回路基板２１０の前部ターミナル３、４及びターミナル５、６に亘って各々接続されており、コンダクター平行導電性プレートにより形成される。コンデンサ２８０及び２８２は、例えばコンデンサ又は他の任意の適切な容量性要素等の離散的構成要素であってもよいことが認められよう。例えば、コンデンサは、回路基板の同じか又は異なる層上のいずれにも形成することができ、該コンデンサの形状又は種類を変更することもできる。
【００５９】
ジャック２００の印刷回路基板２１０は、プラグ／ジャックの組み合わせのＦＥＸＴを減少するか又は相殺するため、ＦＥＸＴクロストーク機構を実施するか又はＦＥＸＴクロストーク領域を形成する。
【００６０】
ＦＥＸＴ補償機構は、クロストーク容量性カップリング（ＣＣ）と、容量性補償カップリング（ＬＦＣＺ及びＣＬ）を、印刷回路基板２１０の回路経路上に導入する。ＦＥＸＴクロストーク領域の容量性補償カップリングＣＣは、コンデンサ２９０及び２９２入力より導入され、補償カップリング（ＬＦＣＺ及びＣＬ）は、電流運搬回路経路を互いに近接して位置決めすることにより形成される。なお、トレースの厚さ又は断面寸法、並びに、コンデンサ又はトレースの間の距離即ち間隔を、要求されたカップリングを達成するため調整することができる。
【００６１】
図８に示されるように、コンデンサ２９０及び２９２は、ジャック２００の印刷回路基板２１０の前部ターミナル近傍でターミナル３、５及び４、６に亘って各々接続される。コンデンサ２９０及び２９２の各々は、平行導電性プレートにより形成されるのが好ましいが、任意の適切な容量性要素によって実施することもできる。
【００６２】
補償カップリング（ＬＦＣＺ及びＣＬ）の有効中心と、クロストーク領域の容量性クロストークカップリング（ＣＣ）の有効中心との位置は、好ましくは、プラグ及びジャックの電気的インターフェースから等距離であり、位相角度変位において等しい。
【００６３】
なお、誘導性補償カップリング（ＬＦＣＺ）の発生は、誘導性カップリング（ＬＦＣＺ）と同じ極性を有する容量性カップリング（ＣＬ）を導入する。しかし、補償カップリング（ＣＣ）の大きさは、ＮＥＸＴが発生したとき、ＣＬカップリング、並びに、誘導性カップリング（ＬＦＣＺ）を相殺するように設計されている。即ちＣＦＣＺ＝ＣＣ−ＣＬとなる。その結果、補償カップリング（ＬＦＣＺ及びＣＬ）は、好ましくは、大きさが等しく、クロストーク構成要素（ＣＣ）とは反対の極性を持っている。従って、２つの構成要素（ＬＦＣＺ）及び（ＣＦＣＺ）は、ＮＥＸＴの発生時に、互いに相殺する。
【００６４】
ＩＤＣは、ＮＥＸＴ及びＦＥＸＴ上のそれらの効果が最小になるように設計された。それらの効果は無視された。
図８に示されたレイアウトは、前方のＮＥＸＴに悪影響を及ぼすこと無く前方のＦＥＸＴを補償する際に有効である（即ち、ＮＥＸＴは、被駆動信号がケーブル接続からプラグに受信されたとき観察された）。補償カップリング（ＬＦＣＺ及びＣＬ）の有効中心と容量性クロストーク（ＣＣ）の有効中心とが、プラグ及びジャックの電気的インターフェースから等距離である用に設計されているので、ＦＥＸＴのクロストーク領域の合成の誘導性及び容量性カップリングベクトルは、前方ＮＥＸＴ上にそれらの効果に関して同じ位相角度位置にある。
【００６５】
逆のＮＥＸＴ（即ち、被駆動信号がプラグと反対側のジャックの端部へのケーブル接続からＩＤＣを通して受信されたときＮＥＸＴが観察される）に対して、補償カップリング（ＬＦＣＺ及びＣＬ）の有効中心とクロストーク領域の容量性クロストーク（ＣＣ）の有効中心とが、プラグ及びジャックの電気的インターフェースからと距離ではない。これは、遠隔容量性カップリング２９０及び２９２の使用によって引き起こされた、図８のトレースレイアウトにおける物理的な非対称性に起因している。その結果、ＦＥＸＴクロストーク領域の誘導性及び容量性カップリングベクトルは、異なる位相角度位置にあり、逆ＮＥＸＴにアクチュエータ影響を及ぼす。
【００６６】
図９は、いずれの方向からも対称的であるカップリングを有し、これによって前方又は逆のＮＥＸＴに悪影響を及ぼすことなく、ＦＥＸＴ補償を提供するカップリングを有するる代替のＰＣＢ５５０のためのレイアウトの平面図である。ＰＣＢ５５０は、前部５５２と、後部５５４と、を備える。前部５５２は、１〜８までの数字標識が付けられた複数の前部ターミナル２６０を備え、後部５５４は、１〜８までの数字標識が付けられた複数の後部ターミナル５６２を備える。図８の場合と同様に、前部ターミナル（３〜８までの数字標識付き）と後部ターミナル（３〜６までの数字標識付き）との間の回路経路のみが示されている。加えて、ＮＥＸＴクロストーク領域は、図を明瞭にするため図９からは省略されている。
【００６７】
図８のＰＣＢ２１０と同様に、ＰＣＢ５５０のＦＥＸＴクロストーク領域は、分布誘導性カップリング（即ち、トレースが互いに水平又は垂直に近接して配置されている）を利用する。しかし、遠隔容量性カップリング（平行プレートコンデンサ２９０及び２９２）を使用したＰＣＢ２１０とは異なり、ＰＣＢ５５０は、分布容量性カップリング５９０を利用しており、該カップリングは、略分布平行プレートに幅広くされた部分的に重なり合ったトレースの形態を取る。その結果、カップリングベクトルは、前方及び逆のＮＥＸＴの両方に対するそれらの効果に関して同じ位相角度位置にある。かくして、ＦＥＸＴ補償領域は、前方及び逆のＮＥＸＴの両方へはニュートラルである一方で、ＦＥＸＴに利益を与える。
【００６８】
図１０及び図１１は、図９のラインＡ――Ａ、及び、Ｂ――Ｂに沿って描かれた、ＰＣＮ５５０の断面図である。トレース３、４、５及び６に対応するトレースは、ＰＣＢ５５０の４つの内部層の一つを各々横断するように示されている。この層化は、適切なＦＥＸＴ補償に対する所望の容量性及び誘導性カップリング効果のための空間調整を提供する。
【００６９】
図９乃至図１１は、対称的なＦＥＸＴ補償領域の一つの可能な実施態様を示しているが、他の実施態様も本発明の意図された範囲から逸脱すること無く使用することができる。例えば、トレースの異なる長さ及び配列を使用することができる。同様に、分布コンデンサのための異なる形状及び形態を採用することができる。
【００７０】
ここで図１２及び図１３を参照すると、本発明に従ってＮＥＸＴ及びＦＥＸＴを減少するため同じ補償機構を実施する別の電気コネクター３００が示されている。電気コネクター３００は、それが接続されているジャック及びケーブルの間の接続構成が「パンチダウン」設計である点を除いて、前述した電気コネクター２００と実質的に類似している。図５の電気コネクター２００の当該構成要素に略対応する電気コネクター２００の構成要素は、３００番台の番号で指し示されている。かくして、電気コネクター３００の更なる説明は、本発明の完全な理解にとっては不必要となる。
【００７１】
本発明の方法及び装置は、電気コネクターにより生成されたＮＥＸＴ及びＦＥＸＴを相殺又は減少させるための補償技術を提供する。特に、補償機構は、プラグ／ジャックの組み合わせにより発生した正味のクロストークを減少又は相殺するため電気コネクターの電気経路内に補償及びクロストークカップリングを導入する。
【００７２】
図示の実施例では、コンデンサ２３０及び２３２は、ワイヤ対１（ワイヤ３及び５）とワイヤ対２（ワイヤ４及び６）とに連係した接触子２２０に亘って接続されている。コンデンサ２３０及び２３２は、各々の接触子２２０にフレキシブル印刷回路容量性プレートを電気的に接続することによって設置される。該コンデンサは、任意の適切な容量性要素によって実施することができることが認められよう。容量性補償構成要素（Ｃ２）は、前記インターフェースで接続されているので、及び、前記インターフェースからコンデンサの有効中心までの距離が最小にされているので、プラグの攻撃性ＮＥＸＴと、ＮＥＸＴ補償カップリング（Ｃ２）との間の位相角度は、最小となる。
【００７３】
図１４乃至図１９は、フレキシブル印刷回路コンデンサの一実施例を示している。これらのフレキシブル回路コンデンサは、デュポンにより製造されたポリイミドフィルム「ＫＡＰＴＯＮ（Ｒ）」のメッキフィルムから作られている。コンデンサ２３０及び２３２は、一対のドーム形状リベットを備え、電気抵抗又はスポット溶接を介してプラグ／ジャック接触子インターフェースの反対側に取り付けられている。
【００７４】
図２０乃至図２７は、フレキシブル印刷回路コンデンサ２３０及び２３２の第２の実施例を示している。これらのコンデンサは、半田「プラグ」２３６を備え、前もってスズメッキされた領域２３８を備え得る接触子２２０に取り付けられている。
【００７５】
図２８乃至図１２１は、本発明の追加の実施例に係るコンデンサを示している。図２８は、半田リベット４０２を有するフレキシブル回路コンデンサ４００を示している。半田リベット４０２は、前もって成形され、コンデンサ４００の端部に設けられた孔内に機械的に変形されている。フレキシブル回路コンデンサ４００は、抵抗溶接プロセスによってジャック接触子に取り付けられている。図２９は、フレキシブル回路コンデンサ４００の頂面図であり、図３０、図３１及び図３２は、小野の、図２９のラインＩ−Ｉ、Ｊ−Ｊ及びＫ−Ｋに沿って描かれた断面図である。図３０に示されるように、半田リベット４０２は、メッキ貫通孔４０４に挿入される。メッキ貫通孔４０４は、パッドが備え付けられている。リベット４０２は、ドームヘッド４０６（図３１に示される）を持ち、リベット４０２は、図３０及び図３２に示されるように下側で機械的に変形されている。
【００７６】
図３３、３４及び３５は、半田リベット４０２がジャック接触子４０８に取り付けられた状態のフレキシブル回路コンデンサ４００の断面図である。図３３に示されるように、ジャック接触子４０８は、半田でスズメッキされた事前スズメッキ領域４１０が形成されていてもよい。半田リベット４０２が事前スズメッキ領域４１０と物理的に接触するように、図３４に示されるようにフレキシブル回路コンデンサ４００はジャック接触子４０８と結合されている。次に、図３５に示されるように、溶接道具４１２がリベット４０２を接触子４０８に、例えば抵抗溶接により溶接する。溶接工程は、幾つかのリベット接触子インターフェース上で同時に実行することができる。図３５に示された中心線４１２ｃは、プラグ／ジャック接触子インターフェースに配置されるのが好ましい。
【００７７】
図３６は、代替のＰＣＢ式のジャック接触子コンデンサ４１３を示している。ジャック接触子コンデンサ４１３は、ＮＥＸＴ補償領域として機能することができる。本実施例では、印刷回路基板４１４は、アイレット４１８で該印刷回路基板に取り付けられた接触子ストリップ４１６を有する。接触子係合領域４２０も、例えば溶接工程を介したジャックの接触子への取り付けのため接触子ストリップ４１６上に形成されている。同様の構成が図３７に示されており、接触子ストリップ１６は、接触子への接触子コンデンサの代替取り付けのため曲げられている。図３８は、図３６のジャック接触子コンデンサ４１３の側面図であり、図３９は、図３８のラインＬ−Ｌに沿って描かれた断面図である。
【００７８】
図３９の断面図は、アイレット４１８により適所に保持され、且つ、メッキ貫通孔４２２と電気的に接触した接触子ストリップ４１６を示している。コンダクター４２４も、メッキ貫通孔４２２と接触しており、印刷回路基板４１４内の接触子ストリップ４１６の間の容量性カップリングを可能にしている。図４０は、印刷回路基板４１４内のコンダクター４２４の様々な幅を示す破断側面図である。
【００７９】
図４１及び図４２は、スレッド４２６内に設けられた、ジャック接触子４０８に取り付けられた接触子コンデンサの側面図である。ジャック接触子コンデンサの印刷回路基板４１４は、スレッド４２６のコンデンサ案内部４２８内に適合する。スレッド取り付け印刷回路基板４３０も、スレッド４２６内に設けられている。図４１は、プラグに係合されていないジャック接触子４０８を示し、図４２は、ジャック接触子４０８が、プラグに係合されたときに曲げられるように、下方に曲げられた状態を示している。中心線４３０ｃは、プラグ／ジャック接触子インターフェースを示している。接触子ストリップ４１６は、中心線４３０ｃに沿って、プラグ／ジャック接触子インターフェースの直接下方に、接触子４０８に溶接される。
【００８０】
ここで、図４３を参照すると、ＮＥＸＴ補償領域を実装するためのジャック接触子コンデンサ４３２の別の実施例が示されている。図４３の実施例では、フレキシブル印刷回路４３４は、リベット４３６ａ及び４３６ｂを介してジャック接触子に接続するように構成されている。リベット４３６ａ及び４３６ｂは、ドーム形状ヘッドが形成されているのが好ましい。図４４は、ジャック接触子コンデンサ４３２の頂面図であり、図４５乃至図４７は、各々、図４４のラインＭ−Ｍ、Ｎ−Ｎ及びＯ−Ｏに沿って描かれた断面図である。図４５に示されるように、メッキ貫通孔４３８は、第１のリベット４３６ａと第１の導電性プレート４４０との間の電気的接続を可能にしている。更に、図４７に示されるように、別のメッキ貫通孔４３８は、第２のリベット４３６ｂと第２の導電性プレート４４２との間の電気的接続を可能にしている。図４６は、第１の導電性プレート４４０と第２の導電性プレート４４２との間の容量性カップリングの領域の断面図を示している。
【００８１】
図４８乃至図５０は、ジャック接触子４０８に取り付けられたジャック接触子コンデンサ４３２ａ及び４３２ｂを示している。図４８は、ジャック接触子コンデンサ４３２ａ及び４３２ｂに取り付けられたジャック接触子４０８の頂面図であり、図４９は、図４８のアッセンブリの側面図であり、図５０は、図４８のアッセンブリの後面図である。８接触子式ジャックの接触子３、４、５及び６が示されている。ジャック接触子４０８とジャック接触子コンデンサ４３２ａ及び４３２ｂとの間の溶接の中心線４４２ｃは、プラグ／ジャック接触子インターフェースと整列している。ジャック接触子コンデンサ４３２ａ及び４３２ｂは、プラグ／ジャック接触子インターフェースと反対側でジャック接触子４０８に溶接されている。ジャック接触子コンデンサ４３２ａ及び４３２ｂを、ジャック接触子４０８に装着し、図５１及び図５２に示されるように、スレッド４２６内に取り付けることができる。図５１は、プラグがジャック接触子４０８に係合されないときのジャック接触子４０８の位置を示し、図５２は、プラグと係合したジャック接触子の位置を示している。印刷回路基板４３０は、スレッド４２６内に設けられていてもよい。コンデンサ案内部４２８は、ジャック接触子コンデンサ４３２ａ及び４３２ｂを受け入れるように位置が定められている。
【００８２】
ジャック接触子コンデンサの別の実施例が図５３ａ〜図５６に示されている。本発明のこの実施例によれば、ジャック接触子コンデンサ４４４ａ及び４４４ｂは、ジャック接触子４０８に接着式に取り付けられている。図５３ａは、ジャック接触子４０８に取り付けられたジャック接触子コンデンサ４４４ａ及び４４４ｂを示している。８接触子ジャックのジャック接触子３、４、５及び６が示されている。図５３ｂは、ジャック接触子４０８から分離したジャック接触子コンデンサ４４４ａ及び４４４ｂを示している。図５４は、図５３ｂの細部「Ｐ」の詳細構成図である。図５４に示されるように、接着領域４４６は、ジャック接触子コンデンサ４４４ａ及び４４４ｂの接触子ストリップ４１６上に形成されている。接着領域４４６は、ジャック接触子コンデンサ４４４ａ及び４４４ｂとジャック接触子４０８との間の接着接続を可能にしている。その結果作られたアッセンブリは、図５５に示されるようにスレッド４２６上に取り付けることができ、このときコンデンサ案内部４２８はジャック接触子コンデンサ４４４ａ及び４４４ｂを受け入れている。接着領域４４６は、プラグ／ジャック接触子インターフェースの直接下方に配置されている。図５６は、本発明の本実施例に係るジャック及びコンデンサアッセンブリの後面図である。
【００８３】
一実施例によれば、ジャック接触子コンデンサ４４４ａ及び４４４ｂは、図５４に示されるように、フレキシブル印刷回路４４８が形成されている。図５７は、ジャック接触子４０８に接続されたジャック接触子コンデンサ４４４の接着領域４４６の破断側面図を示している。接着剤４５０は、デュポンにより製造されたＭＹＬＡＲ（Ｒ）ＰＥＴフィルムの層等の第１の誘電層４５２とジャック接触子４０８との間に配置される。コンダクターパターン４５４は、第１の誘電層４５２と第２の誘電層４５６との間に層形成されている。コンダクターパターン４５４は、フレキシブル印刷回路４４８内で第１の誘電層４５２と第２の誘電層４５６との間に層形成されている。ジャック接触子コンデンサ４４４ａ及び４４４ｂは、代替のジャック接触子に接着結合されている。例えば、ジャック接触子コンデンサ４４４ａは、ジャック接触子対３〜５に結合することができ、ジャック接触子コンデンサ４４４ｂは、ジャック接触子対４〜６に結合することができる。この構成は、積層形態にあるコンダクター材料４５４及び接触子４０８それ自体を使ってコンデンサを形成している。２つの接触子は、２つのコンデンサを直列にすることにより連結されている。接触子の間の総合した容量は、各コンデンサの値の１／２である。接着剤の厚さ及び誘電率が計算に含まれている。
【００８４】
図５８乃至図６１は、本発明の一実施例に係る、ＮＥＸＴ補償領域及びフレキシブル回路接触子分流器を示している。フレキシブルＮＥＸＴ補償回路４５８は、接触子溶接リベット４６２を介してジャック接触子に接続するように構成され、更に印刷回路基板従順ピン４６４を介して印刷回路基板と電気的に接触するように構成されたコンデンサフレキシブル回路４６０を備えている。図５８に示された実施例では、２つの接触子の間の容量性カップリングは、コンデンサ可撓性回路４６０内で達成することができる。図５９を参照すると、フレキシブル分流器４６６が示されている。フレキシブル分流器４６６は、ジャック接触子への接続のためのリベット４６２と、印刷回路基板への接続のためのＰＣＮ従順ピン４６４とが備え付けられている。フレキシブル分流器４６６の側面図が図６０に示されている。図６１は、ジャック接触子４６８と、印刷回路基板４７０との間のフレキシブル分流器４６６の配置を示す側面図である。プラグ４７１のセグメントが示されており、プラグ／ジャック接触子インターフェース４７３は、リベット４６２のジャック接触子４６８への取り付け位置の直接上方にある。図６２は、図５９のラインＱ−Ｑに沿ってフレキシブル分流器４６の断面図である。例えば、銅トレース等の導電性トレース４７２は、デュポンにより製造された「ＫＡＰＴＯＮ（Ｒ）」ポリイミドフィルム等の誘電体４７４により取り囲まれている。フレキシブル回路分流器４６６の使用は、プラグ４７１からＰＣＢ４７０への電流経路を短くしている。図５９乃至図６２は、コンデンサプレートを備えていない、電気的接続のみを提供するフレキシブル分流器４６６を示している。フレキシブル回路の使用は、プラグ４７１から印刷回路基板４７０への電流経路を短くする。例えば、図６１に示された信号長さｘ２は、信号長さｘ１よりも短い。
【００８５】
図６３乃至図７２は、ＮＥＸＴ補償領域を実施するための代替のフレキシブル回路コンデンサ４７６を示している。図６３は、図６３で番号標識が付けられた第１乃至第８のジャック接触子に取り付けるためのドーム形状リベット４７８を有する２つのフレキシブル回路コンデンサ４７６ａ及び４７６ｂの斜視図である。図６４は、図６３で破線として示された図６３の細部「Ｒ」の詳細構成図であり、該図６４は、ジャック接触子への溶接取り付けに適したドーム形状リベット４７８と、ジャック接触子と容量性プレート４８２との間の電気的接続を確立するためのメッキ貫通孔４８０と、を示している。図６５は、容量性プレート４８２の構成をより明瞭に示すフレキシブル回路コンデンサ４７６の頂面図であり、図６６は、９０°の曲がり部４７５を示す、フレキシブル回路コンデンサ４７６の側面図である。
【００８６】
図６７は、４つのジャック接触子４８４に取り付けられたフレキシブル回路コンデンサ４７６ａを示す斜視図である。図６８は、他の４つのジャック接触子４８４に取り付けられた追加のフレキシブル回路コンデンサ４７６ｂを示す、別の斜視図である。２つのフレキシブル回路コンデンサ４７６ａ及び４７６ｂは、互いに部分的に重なり合っている。図６９及び図７０は、ジャック接触子４８４に取り付けられた、フレキシブル回路コンデンサ４７６ａ及び４７６ｂを各々示す、側面図及び後面図である。図６８及び図７０に示されるように、第１のフレキシブル回路コンデンサ４７６ａは、第１、第２、第３及び第５のジャック接触子４８４に取り付けられ、第２のフレキシブル回路コンデンサ４７６ｂは、第４、第６、第７及び第８のジャック接触子４８４に取り付けられている。
【００８７】
フレキシブル回路コンデンサ４７６内の容量性プレートの重なり合いが図７１及び図７２に示されている。図７１及び図７２は、第１、第２，第３及び第５のジャック接触子への接続のためのフレキシブル回路コンデンサを示している。第８、第７、第６及び第４の接触子に接続されたコンデンサは、図示のコンデンサの鏡像として形成されている。１、２−７、８を除く全ての対の組み合わせが含まれている。フレキシブル回路コンデンサ４７６ａ及び４７６ｂは、プラグ／ジャック接触子インターフェースの直接下方でジャック接触子の底部に溶接されている。
【００８８】
ここで、図７３乃至図８８を参照すると、容量性及び誘導性ＮＥＸＴ補償領域を備えたフレキシブル印刷回路４８６が示されている。図７３は、ジャック接触子に接続するためのリベット４８８と印刷回路基板に接続するための印刷回路基板従順ピン４６４とを備えるフレキシブル印刷回路４８６の斜視図である。フレキシブル印刷回路４８６は、プラグがジャック接触子に係合されたとき、ジャック接触子と印刷回路基板との間で撓むことができ、リベット４８８はプラグ／ジャック接触子インターフェースの直接下方で溶接される。図７４は、破線で導電性経路４９０を示したフレキシブル印刷回路４８６の平面図である。コンダクター１、２、３及び５のためのＮＥＸＴ補償領域を提供するためのフレキシブル印刷回路４８６が示されている。コンダクター４、６、７及び８のためのＮＥＸＴ補償領域を提供するためのフレキシブル印刷回路は、図示のフレキシブル印刷回路４８６の鏡像として形成されている。フレキシブル印刷回路４８６が、１、２−７、８を除く全てのコンプレッサ対上で、容量性及び誘導性ＮＥＸＴ補償の両方を提供するように、導電性経路４９０がフレキシブル印刷回路４８６内に設けられている。
【００８９】
図７５は、図７４のラインＳ−Ｓに沿って描かれた断面図であり、図７６は、図７４のラインＴ−Ｔに沿って描かれた断面図である。これらの図面は、フレキシブル印刷回路４８６の第１及び第２の断面に沿った導電性経路４９０の配置を示している。
【００９０】
図７７乃至図８０は、８コンダクタージャックの第１、第２、第３及び第５のコンダクターと連係した導電性経路４９０ａ〜４９０ｄを破線で各々示した平面図である。
図８１乃至図８４は、最下側部から最上導電性経路までフレキシブル印刷回路４８６上に印刷されたときのフレキシブル印刷回路４８６の導電性経路４９０を漸次示している。図８１は、第２のコンダクターと連係した最下の導電性経路４９０ｂを示している。図８２は、第５のコンダクターと連係した最下の導電性経路４９０ｄを示している。図８３は、第３のコンダクターと連係した第２の最上の導電性経路４９０ｃを示している。図８４は、第１のコンダクターと連係した最上の導電性経路４９０ａを示している。図８５は、デュポンにより製造されたカプトンポリイミドフィルムの層等の誘電層４７４を示している。フレキシブル回路４８６は、これらの層を重なり合わせることにより形成される。
【００９１】
図８６は、導電性経路４９０ａ〜４９０ｄの別の平面図であり、図８７及び図８８は、図８６のラインＵ−Ｕ及びＶ−Ｖに沿った破断図であり、導電性経路４９０ａ〜ｄの重なり合いを示している。第３のコンダクターのための容量性プレートに隣接する第１のコンダクターのための容量性プレート、並びに、第５のコンダクターのための容量性プレートに隣接する第２のコンダクターのための容量性プレートを、要求に応じて追加することができる。
【００９２】
本発明の幾つかの実施例に係るフレキシブル回路基板を、１つより多い取り付け方法を使用してジャック接触子に取り付けることができる。図８９は、ジャック接触子への溶接及び接着取り付けの両方に適したフレキシブル回路コンデンサ４９２の斜視図である。リベット４８８が、１つのジャック接触子への取り付けのため提供され、接着領域４４６が別のジャック接触子への取り付けのため提供される。図９０は、フレキシブル回路コンデンサ４９２の頂面図であり、図９１乃至図９３は、図９０のラインＷ−Ｗ、Ｘ−Ｘ及びＹ−Ｙの各々に沿って描かれたフレキシブル回路コンデンサ４９２の各断面図である。フレキシブル誘電材料４９４は、第１の導電性プレート４４０及び第２の導電性プレート４４２を覆っている。接着領域４４６が図９１に示され、リベット４８８は、図９３に示されるようにメッキ貫通孔４８９を通って延在する。図９４は、ジャック接触子４０８に溶接されたリベット４８８を示す側面図であり、図９５は、ジャック接触子４０８に結合された接着領域４４６の側面図である。上述されたように、ジャック接触子４０８とフレキシブル回路コンデンサ４９２との間の容量性カップリングは、接着結合領域で生じる。溶接及び接着結合の両方は、プラグ／ジャック接触子インターフェースの直接下方に位置されている。
【００９３】
ここで、図９６乃至図１０４を参照すると、８コンダクタージャックの８つのコンダクターの全てへの接続のためのＮＥＸＴ補償コンデンサ回路４９６が示されている。ＮＥＸＴ補償コンデンサ回路４９６は、フレキシブルコンデンサ回路である。図９６は、ＮＥＸＴ補償コンデンサ回路４９６の斜視図である。リベット４９７は、プラグ／ジャック接触子インターフェースにおけるジャック接触子の底部への溶接のため提供されている。図９７は、ジャックの８接触子の各々と連係する導電性プレート４９８の平面図である。各々の第１乃至第８の接触子を備えた導電性プレート４９８ａ〜４９８ｈの間の連係が、図９８に示されている。図９８は、導電性プレート４９８ａ〜４９８ｈの重なり合いを示した図９７の観察方向Ｚに沿った側面図である。
【００９４】
図９９乃至図１０４は、ＮＥＸＴ補償コンデンサ回路４９６の内部の平面図であり、導電性プレート４９８ａ〜４９８ｈの形状を示している。図９９乃至図１０４は、図９８の最下導電性プレート４９８ａ（第１のジャック接触子と連係する）を示す図９９から、図９８の最上導電性プレート４９８ｈ（第８のジャック接触子と連係する）を示す図１０４まで進行している。
【００９５】
図１０５乃至図１０９は、ジャックの接触子への取り付けのため容量性及び誘導性のＮＥＸＴ補償を備えた別のフレキシブル印刷回路５００を示している。図１０５は、破線が導電性経路５０２を示したフレキシブル印刷回路５００の平面図である。フレキシブル印刷回路５００の第１の端部５０４は、溶接／半田パッド５０５を介してジャック接触子に取り付けられ、第２の端部５０６は、ＰＣＢ従順ピン４６４を介して印刷回路基板に取り付けられている。フレキシブル印刷回路５００は、８接触子ジャックの第３及び第５の接触子で使用するように構成されている。同一のフレキシブル印刷回路５００を、第４及び第６の接触子で使用することもできる。
【００９６】
図１０７乃至図１０９は、フレキシブル印刷回路５００の連続層を示している。図１０７は、第１の誘電層５０８ａと、第３のジャック接触子と連係した第１の導電性経路５０２ａとを示している。図１０８は、第２の誘電層５０８ｂと、第５のジャック接触子と連係した第２の導電性経路５０２ｂとを示している。図１０９は、第３の誘電層５０８ｃを示している。誘電層５０８ａ〜ｃは、ＫＡＰＴＯＮ（Ｒ）から構成することもできる。
【００９７】
図１１０及び図１１１は、ジャック内に設置されたフレキシブル印刷回路５００を示している。ジャック接触子４０８は、スレッド４２６内に取り付けられ、フレキシブル印刷回路５００は、プラグ／ジャック接触子インターフェースの下方でジャック接触子４０８に溶接されている。フレキシブル印刷回路５００は、ＰＣＢ５０９に半田付けされている。図１１０は、ジャック接触子４０８を、該ジャック接触子がプラグに係合されていない位置で示し、図１１１は、ジャック接触子４０８を、該ジャック接触子がプラグに係合されている位置で示している。フレキシブル印刷回路５００は、ジャック接触子４０８が２つの位置の間で移動するとき撓む。図１１１の矢印は、フレキシブル印刷回路５００を通る経路を含む、ジャックを通る電流経路を示している。
【００９８】
図１１２は、容量性及び誘導性ＮＥＸＴ補償を提供するための別のフレキシブル印刷回路５１０の平面図である。リベット５１１は、ジャック接触子への取り付けのため提供されている。図１１２のフレキシブル印刷回路５１０は、第３及び第５のジャック接触子への取り付け用に構成されているが、実質的に同一のフレキシブル印刷回路を、８接触子ジャックの第４及び第６のジャック接触子への取り付けのため使用することができる。導電性経路５１２ａ及び５１２ｂは、フレキシブル印刷回路５１０内に提供され、コンデンサプレート５１４ａ及び５１４ｂは、導電性経路５１２ａ及び５１２ｂの各々に取り付けられている。導電性経路５１２ａ及び５１２ｂの垂直延在部は平行であり、同一直線上にはない。誘導性セグメント５１６ａ及び５１６ｂは、垂直延在部の一部分を構成している。誘導性セグメント５１６ａ及び５１６ｂは、電流運搬コンダクター及び／又は変換器に隣接し、誘導性補償カップリングを提供する。
【００９９】
図１１３は、クロストーク補償を提供するため本発明に従って利用することができるフレキシブルＰＣＢ５１８の一実施例の、右上斜視図であり、図１１４は、側面図であり、図１１５は、前面図である。ＰＣＢ５１８は、主要部５２０と、指部５２２等の取り付け指部とを備えている。主要部５２０は、容量性カップリングを提供するため複数の容量性プレート（この場合には、プラグインターフェース接触子３〜６に対応する４つのプレート）を支持する。図１１６乃至図１１２に示されているように、容量性プレートへのリード部も誘導性カップリングの成分を提供する。指部５２２は、ＰＣＢ５１８をプラグインターフェース接触子へと取り付けるための取り付け機構として機能する。任意の適切な取り付け技術を使用することができるが、図示の実施例では、抵抗溶接リベット５２４が使用されている。プラグインターフェース接触子（又は、プラグインターフェース接触子に接続された別のコンダクター）にＰＣＢ５１８を取り付けることに加えて、リベット５２４は、容量性プレート及びそれらのリード部のための接触子ポストとして機能する。これは、図１１４乃至図１２１に示されており、これらの図面は、容量性プレート５２６及びリード部（５２８ａ〜ｄ）の４つの層を示している。該リード部を通ってリベット５２４は、指部５２２と適切に接触するように突出している。
【０１００】
図１１６は、図示を容易にするため、指部が曲がっていない形態で示したＰＣＢ５１８の前面図である。図１１７は、ＰＣＢ５１８の底部から図１１６のラインＡ／Ａに向かって眺めたときの容量性プレート及びリード部との断面図である。なお、図１１４は、容量性プレート及びリード部を単に支持しているか又は誘導部即ち絶縁部として機能するＰＣＢ５１８の一部分を示していない。図１１６乃至図１２１は、誘導性カップリングの比較的高い密度を比較的短い距離内でもたらすため、容量性プレート及びリード部が如何に互いに対して配置されているかを示している。例えば、図１１６では、コンダクター５のための容量性プレート５２６ａ及びリード部５２８ａは、最上のプレート及びリード部であり、横向きの「Ｕ」字形状を有して示されている。同じ「Ｕ」字形状は、様々な配置であるが、図１１６の破線及び実線により示されるように、コンダクター３、４及び６のために使用されている。容量性プレートの物理的配置及び重なり合った面積は、容量性カップリングの量を決定する。同様に、リード部の互いからの分離及び重なり合いの長さは、誘導性カップリングの量を決定する。図１１７は、高い密度の誘導性カップリングを提供する各々のリード部の誘導性カップリングに起因した電流の流れの相対的方向を示している。図１１８乃至図１２１は、８コンダクタージャックの第５，第３、第６及び第４のコンダクターと各々連係した、リード部５２８ａ〜ｄ及び容量性プレート５２６ａ〜ｄを各々示している。
【０１０１】
本発明の特定の好ましい実施例が示され、説明されたが、本発明の教えから逸脱すること無く、様々な変更及び変形をなし得ることは当業者には明らかである。前述した説明及び添付図面に記載されている事項は、図示のみのため提供されており、本発明を記載事項に限定するものではない。本発明の実際の範囲は、従来技術に基づく本発明の適切な見地から考慮されたときの請求の範囲によって画定されることが意図されている。
【図面の簡単な説明】
【０１０２】
【図１】図１は、本発明の原理を具現化するコネクターアッセンブリの斜視図である。
【図２】図２は、図１のコネクターアッセンブリにおけるクロストークを減少するため補償技術の概略図である。
【図３】図３は、図１のコネクターアッセンブリのＮＥＸＴ概略ベクトル図である。
【図４】図４は、図１のコネクターアッセンブリのＦＥＸＴ概略ベクトル図である。
【図５】図５は、本発明の原理を具現化する電気ジャックの斜視図である。
【図６】図６は、図５の電気ジャックの分解図である。
【図７】図７は、図５のラインＡ−Ａに沿って描かれた図５の電気ジャックの断面図である。
【図８】図８は、図５の電気ジャックの印刷回路基板の平面図である。
【図９】図９は、図５の電気ジャックの代替の印刷回路基板の平面図である。
【図１０】図１０は、図９のラインＡ−Ａに沿って描かれた図９の印刷回路基板の断面図である。
【図１１】図１１は、図９のラインＢ−Ｂに沿って描かれた図９の印刷回路基板の断面図である。
【図１２】図１２は、本発明の原理を具現化する別の電気ジャックの分解斜視図である。
【図１３】図１３は、図１２のラインＢ−Ｂに沿って描かれた図１２の電気ジャックの断面図である。
【図１４】図１４は、フレキシブル回路コンデンサの一実施例の斜視図である。
【図１５】図１５は、アンフォーマット状態で示された、ジャック接触子に取り付けられたフレキシブル回路コンデンサの底面図である。
【図１６】図１６は、図１４のフレキシブル回路コンデンサの頂面図である。
【図１７】図１７は、図１６のラインＣ−Ｃに沿って描かれた断面図である。
【図１８】図１８は、図１６のラインＤ−Ｄに沿って描かれた断面図である。
【図１９】図１９は、図１６のラインＥ−Ｅに沿って描かれた断面図である。
【図２０】図２０は、フレキシブル回路コンデンサの別の実施例の斜視図である。
【図２１】図２１は、図２０のフレキシブル回路コンデンサの頂面図である。
【図２２】図２２は、図２１のラインＦ−Ｆに沿って描かれた断面図である。
【図２３】図２３は、図２１のラインＧ−Ｇに沿って描かれた断面図である。
【図２４】図２４は、図２１のラインＨ−Ｈに沿って描かれた断面図である。
【図２５】図２５は、接触子に接続されたフレキシブル回路コンデンサを示す、図２１のラインＦ−Ｆに沿って描かれた断面図である。
【図２６】図２６は、接触子に接続されたフレキシブル回路コンデンサを示す、図２１のラインＧ−Ｇに沿って描かれた断面図である。
【図２７】図２７は、接触子に接続されたフレキシブル回路コンデンサを示す、図２１のラインＨ−Ｈに沿って描かれた断面図である。
【図２８】図２８は、本発明の一実施例に係るフレキシブル回路コンデンサの斜視図である。
【図２９】図２９は、図２８のフレキシブル回路コンデンサの頂面図である。
【図３０】図３０は、図２９のラインＩ−Ｉに沿って描かれた断面図である。
【図３１】図３１は、図２９のラインＪ−Ｊに沿って描かれた断面図である。
【図３２】図３２は、図２９のラインＫ−Ｋに沿って描かれた断面図である。
【図３３】図３３は、ジャック接触子に取り付けられた半田リベットを示すフレキシブルコンデンサの断面図である。
【図３４】図３４は、ジャック接触子に取り付けられた半田リベットを示すフレキシブルコンデンサの断面図である。
【図３５】図３５は、ジャック接触子に取り付けられた半田リベットを示すフレキシブルコンデンサの断面図である。
【図３６】図３６は、本発明の一実施例に係るジャック接触子コンデンサの斜視図である。
【図３７】図３７は、曲げ接触子ストリップを備えたジャック接触子コンデンサの斜視図である。
【図３８】図３８は、図３６のジャック接触子コンデンサの側面図である。
【図３９】図３９は、図３８のラインＬ−Ｌに沿って描かれた断面図である。
【図４０】図４０は、図３６のジャック接触子コンデンサの破断側面図である。
【図４１】図４１は、スレッドにおいてジャック接触子に非係合位置で取り付けられた接触子コンデンサを示す破断側面図である。
【図４２】図４２は、係合位置にあるジャック接触子を示す、図４１のスレッドにおいてジャック接触子に取り付けられた接触子コンデンサの破断側面図である。
【図４３】図４３は、本発明の一実施例に係るジャック接触子コンデンサの斜視図である。
【図４４】図４４は、図４３のジャック接触子コンデンサの頂面図である。
【図４５】図４５は、図４４のラインＭ−Ｍに沿って描かれた断面図である。
【図４６】図４６は、図４４のラインＮ−Ｎに沿って描かれた断面図である。
【図４７】図４７は、図４４のラインＯ−Ｏに沿って描かれた断面図である。
【図４８】図４８は、ジャック接触子に取り付けられたジャック接触子コンデンサの頂面図である。
【図４９】図４９は、ジャック接触子に取り付けられたジャック接触子コンデンサの側面図である。
【図５０】図５０は、ジャック接触子に取り付けられたジャック接触子コンデンサの後面図である。
【図５１】図５１は、スレッドにおいてジャック接触子に非係合位置で取り付けられた接触子コンデンサの破断側面図である。
【図５２】図５２は、スレッドにおいてジャック接触子に係合位置で取り付けられた接触子コンデンサの破断側面図である。
【図５３ａ】図５３ａは、ジャック接触子に取り付けられた、本発明の一実施例に係るジャック接触子コンデンサを示す斜視図である。
【図５３ｂ】図５３ｂは、本発明の一実施例に係るジャック接触子コンデンサを示す斜視図である。
【図５４】図５４は、図５３ｂの細部「Ｐ」の詳細構成図である。
【図５５】図５５は、スレッドに取り付けられたジャック接触子に装着されたジャック接触子を示す破断側面図である。
【図５６】図５６は、図５３ａの実施例に係るジャック及びコンデンサアッセンブリの後面図である。
【図５７】図５７は、ジャック接触子に接続されたジャック接触子コンデンサの接着領域の破断側面図である。
【図５８】図５８は、本発明の一実施例に係るフレキシブル回路の斜視図である。
【図５９】図５９は、本発明の一実施例に係るフレキシブル分流器の平面図である。
【図６０】図６０は、図５９のフレキシブル分流器の側面図である。
【図６１】図６１は、ジャック接触子と印刷回路基板との間に取り付けられたフレキシブル分流器の側面図である。
【図６２】図６２は、図５９のラインＱ−Ｑに沿って描かれた断面図である。
【図６３】図６３は、本発明の一実施例に係るフレキシブル回路コンデンサの斜視図である。
【図６４】図６４は、図６３の細部「Ｒ」の詳細構成図である。
【図６５】図６５は、図６３のフレキシブル回路コンデンサの頂面図である。
【図６６】図６６は、図６３のフレキシブル回路コンデンサの側面図である。
【図６７】図６７は、ジャック接触子に取り付けられた図６３のフレキシブル回路コンデンサの斜視図である。
【図６８】図６８は、ジャック接触子に取り付けられた図６３のフレキシブル回路コンデンサの斜視図である。
【図６９】図６９は、ジャック接触子に取り付けられた図６３のフレキシブル回路コンデンサの側面図である。
【図７０】図７０は、ジャック接触子に取り付けられた図６３のフレキシブル回路コンデンサの後面図である。
【図７１】図７１は、図６３のフレキシブル回路コンデンサにおける容量性プレートの重なり合いを示す端面図である。
【図７２】図７２は、図６３のフレキシブル回路コンデンサにおける容量性プレートの重なり合いを示す平面図である。
【図７３】図７３は、本発明の一実施例に係るフレキシブル印刷回路の斜視図である。
【図７４】図７４は、図７３のフレキシブル印刷回路の平面図である。
【図７５】図７５は、図７４のラインＳ−Ｓに沿って描かれた断面図である。
【図７６】図７６は、図７４のラインＴ−Ｔに沿って描かれた断面図である。
【図７７】図７７は、８つのコンダクタージャックのうち第１のコンダクターと連係した導電性経路を示す平面図である。
【図７８】図７８は、８つのコンダクタージャックのうち第２のコンダクターと連係した導電性経路を示す平面図である。
【図７９】図７９は、８つのコンダクタージャックのうち第３のコンダクターと連係した導電性経路を示す平面図である。
【図８０】図８０は、８つのコンダクタージャックのうち第５のコンダクターと連係した導電性経路を示す平面図である。
【図８１】図８１は、図７３のフレキシブル印刷回路の導電性経路を連続的に示す斜視図である。
【図８２】図８２は、図７３のフレキシブル印刷回路の導電性経路を連続的に示す斜視図である。
【図８３】図８３は、図７３のフレキシブル印刷回路の導電性経路を連続的に示す斜視図である。
【図８４】図８４は、図７３のフレキシブル印刷回路の導電性経路を連続的に示す斜視図である。
【図８５】図８５は、本発明の一実施例に係る誘電層を示す斜視図である。
【図８６】図８６は、図７３のフレキシブル印刷回路における導電性経路を示す平面図である。
【図８７】図８７は、図８６のラインＵ−Ｕに沿って描かれた断面図である。
【図８８】図８８は、図８６のラインＶ−Ｖに沿って描かれた断面図である。
【図８９】図８９は、本発明の一実施例に係るフレキシブル回路コンデンサの斜視図である。
【図９０】図９０は、図８９のフレキシブル回路コンデンサの頂面図である。
【図９１】図９１は、図９０のラインＷ−Ｗに沿って描かれた断面図である。
【図９２】図９２は、図９０のラインＸ−Ｘに沿って描かれた断面図である。
【図９３】図９３は、図９０のラインＹ−Ｙに沿って描かれた断面図である。
【図９４】図９４は、ジャック接触子に取り付けられたリベットを示す、図８９のフレキシブル回路コンデンサの側面図である。
【図９５】図９５は、弱接触子に結合された接着領域を示す、図８９のフレキシブル回路コンデンサの側面図である。
【図９６】図９６は、本発明の一実施例に係るＮＥＸＴ補償コンデンサ回路の斜視図である。
【図９７】図９７は、図９６のＮＥＸＴ補償コンデンサ回路の導電性プレートの平面図である。
【図９８】図９８は、図９７の観察方向ラインＺに沿った端面図である・
【図９９】図９９は、導電性プレートの形状を示す、図９６のＮＥＸＴ補償コンデンサ回路の内部の平面図である。
【図１００】図１００は、導電性プレートの形状を示す、図９６のＮＥＸＴ補償コンデンサ回路の内部の平面図である。
【図１０１】図１０１は、導電性プレートの形状を示す、図９６のＮＥＸＴ補償コンデンサ回路の内部の平面図である。
【図１０２】図１０２は、導電性プレートの形状を示す、図９６のＮＥＸＴ補償コンデンサ回路の内部の平面図である。
【図１０３】図１０３は、導電性プレートの形状を示す、図９６のＮＥＸＴ補償コンデンサ回路の内部の平面図である。
【図１０４】図１０４は、導電性プレートの形状を示す、図９６のＮＥＸＴ補償コンデンサ回路の内部の平面図である。
【図１０５】図１０５は、本発明の一実施例に係るフレキシブル印刷回路の平面図である。
【図１０６】図１０６は、図１０５のラインＡＡ−ＡＡに沿って描かれた断面図である。
【図１０７】図１０７は、図１０５のフレキシブル印刷回路の連続的に並んだ層を示す斜視図である。
【図１０８】図１０８は、図１０５のフレキシブル印刷回路の連続的に並んだ層を示す斜視図である。
【図１０９】図１０９は、図１０５のフレキシブル印刷回路の連続的に並んだ層を示す斜視図である。
【図１１０】図１１０は、ジャック接触子が非係合位置にあるジャック内に設置された図１０５のフレキシブル印刷回路を示す破断側面図である。
【図１１１】図１１１は、ジャック接触子が係合位置にあるジャック内に設置された図１０５のフレキシブル印刷回路を示す破断側面図である。
【図１１２】図１１２は、本発明の別の実施例に係るフレキシブル印刷回路の平面図である。
【図１１３】図１１３は、本発明の一実施例に係るフレキシブルＰＣＢの斜視図である。
【図１１４】図１１４は、図１１３のフレキシブルＰＣＢの側面図である。
【図１１５】図１１５は、図１１３のフレキシブルＰＣＢの前面図である。
【図１１６】図１１６は、導電性経路を示す図１１３のフレキシブルＰＣＢの別の前面図である。
【図１１７】図１１７は、図１１６のラインＡ／Ａに向かう端面図である。
【図１１８】図１１８は、８つのコンダクタージャックのうち第５のコンダクターと連係した容量性プレートを示す、図１１３のフレキシブルＰＣＢの前面図である。
【図１１９】図１１９は、８つのコンダクタージャックのうち第３のコンダクターと連係した容量性プレートを示す、図１１３のフレキシブルＰＣＢの前面図である。
【図１２０】図１２０は、８つのコンダクタージャックのうち第６のコンダクターと連係した容量性プレートを示す、図１１３のフレキシブルＰＣＢの前面図である。
【図１２１】図１２１は、８つのコンダクタージャックのうち第４のコンダクターと連係した容量性プレートを示す、図１１３のフレキシブルＰＣＢの前面図である。
【図１】
2007524207.tif 000003
【図２】
2007524207.tif 000004
【図３】
2007524207.tif 000005
【図４】
2007524207.tif 000006
【図５】
2007524207.tif 000007
【図６】
2007524207.tif 000008
【図７】
2007524207.tif 000009
【図８】
2007524207.tif 000010
【図９】
2007524207.tif 000011
【図１０】
2007524207.tif 000012
【図１１】
2007524207.tif 000013
【図１２】
2007524207.tif 000014
【図１３】
2007524207.tif 000015
【図１４】
2007524207.tif 000016
【図１５】
2007524207.tif 000017
【図１６】
2007524207.tif 000018
【図１７】
2007524207.tif 000019
【図１８】
2007524207.tif 000020
【図１９】
2007524207.tif 000021
【図２０】
2007524207.tif 000022
【図２１】
2007524207.tif 000023
【図２２】
2007524207.tif 000024
【図２３】
2007524207.tif 000025
【図２４】
2007524207.tif 000026
【図２５】
2007524207.tif 000027
【図２６】
2007524207.tif 000028
【図２７】
2007524207.tif 000029
【図２８】
2007524207.tif 000030
【図２９】
2007524207.tif 000031
【図３０】
2007524207.tif 000032
【図３１】
2007524207.tif 000033
【図３２】
2007524207.tif 000034
【図３３】
2007524207.tif 000035
【図３４】
2007524207.tif 000036
【図３５】
2007524207.tif 000037
【図３６】
2007524207.tif 000038
【図３７】
2007524207.tif 000039
【図３８】
2007524207.tif 000040
【図３９】
2007524207.tif 000041
【図４０】
2007524207.tif 000042
【図４１】
2007524207.tif 000043
【図４２】
2007524207.tif 000044
【図４３】
2007524207.tif 000045
【図４４】
2007524207.tif 000046
【図４５】
2007524207.tif 000047
【図４６】
2007524207.tif 000048
【図４７】
2007524207.tif 000049
【図４８】
2007524207.tif 000050
【図４９】
2007524207.tif 000051
【図５０】
2007524207.tif 000052
【図５１】
2007524207.tif 000053
【図５２】
2007524207.tif 000054
【図５３ａ】
2007524207.tif 000055
【図５３ｂ】
2007524207.tif 000056
【図５４】
2007524207.tif 000057
【図５５】
2007524207.tif 000058
【図５６】
2007524207.tif 000059
【図５７】
2007524207.tif 000060
【図５８】
2007524207.tif 000061
【図５９】
2007524207.tif 000062
【図６０】
2007524207.tif 000063
【図６１】
2007524207.tif 000064
【図６２】
2007524207.tif 000065
【図６３】
2007524207.tif 000066
【図６４】
2007524207.tif 000067
【図６５】
2007524207.tif 000068
【図６６】
2007524207.tif 000069
【図６７】
2007524207.tif 000070
【図６８】
2007524207.tif 000071
【図６９】
2007524207.tif 000072
【図７０】
2007524207.tif 000073
【図７１】
2007524207.tif 000074
【図７２】
2007524207.tif 000075
【図７３】
2007524207.tif 000076
【図７４】
2007524207.tif 000077
【図７５】
2007524207.tif 000078
【図７６】
2007524207.tif 000079
【図７７】
2007524207.tif 000080
【図７８】
2007524207.tif 000081
【図７９】
2007524207.tif 000082
【図８０】
2007524207.tif 000083
【図８１】
2007524207.tif 000084
【図８２】
2007524207.tif 000085
【図８３】
2007524207.tif 000086
【図８４】
2007524207.tif 000087
【図８５】
2007524207.tif 000088
【図８６】
2007524207.tif 000089
【図８７】
2007524207.tif 000090
【図８８】
2007524207.tif 000091
【図８９】
2007524207.tif 000092
【図９０】
2007524207.tif 000093
【図９１】
2007524207.tif 000094
【図９２】
2007524207.tif 000095
【図９３】
2007524207.tif 000096
【図９４】
2007524207.tif 000097
【図９５】
2007524207.tif 000098
【図９６】
2007524207.tif 000099
【図９７】
2007524207.tif 000100
【図９８】
2007524207.tif 000101
【図９９】
2007524207.tif 000102
【図１００】
2007524207.tif 000103
【図１０１】
2007524207.tif 000104
【図１０２】
2007524207.tif 000105
【図１０３】
2007524207.tif 000106
【図１０４】
2007524207.tif 000107
【図１０５】
2007524207.tif 000108
【図１０６】
2007524207.tif 000109
【図１０７】
2007524207.tif 000110
【図１０８】
2007524207.tif 000111
【図１０９】
2007524207.tif 000112
【図１１０】
2007524207.tif 000113
【図１１１】
2007524207.tif 000114
【図１１２】
2007524207.tif 000115
【図１１３】
2007524207.tif 000116
【図１１４】
2007524207.tif 000117
【図１１５】
2007524207.tif 000118
【図１１６】
2007524207.tif 000119
【図１１７】
2007524207.tif 000120
【図１１８】
2007524207.tif 000121
【図１１９】
2007524207.tif 000122
【図１２０】
2007524207.tif 000123
【図１２１】
2007524207.tif 000124
【国際調査報告】
2007524207.tif 000125
2007524207.tif 000126
2007524207.tif 000127